【手続補正書】
【提出日】平成19年1月25日(2007.1.25)
【手続補正１】
【補正対象書類名】明細書
【補正対象項目名】０００７
【補正方法】変更
【補正の内容】
【０００７】
図２に示すように、スキャナ部１２は、上に走査されて読み取られる書面が載せられる透明プラテン２６を有している。１個又はそれ以上の個数のリニアアレイ２８例えばＣＣＤアレイは、プラテン２６の下で支持され、往復走査運動を行う。レンズ及びミラーシステム３０は協働して、プラテン２６の線状セグメント及びスキャン対象書面上にアレイ２８を合焦する。アレイ２８は、走査により得られた画像を示すアナログ画像信号を、プロセッサ３２による処理適当な処理の後、制御部１４に出力する。
【手続補正２】
【補正対象書類名】明細書
【補正対象項目名】００１４
【補正方法】変更
【補正の内容】
【００１４】
印刷システム１０におけるジョブ及びその他の処理は、表示スクリーン２０上に表されているメニューによってプログラムされる。図４に、可選択リストオブジェクト８２を有するメニュー８０の例を示す。可選択リストオブジェクト８２は、マウス２４によって、或いはタッチスクリーン技術によって選択される。図４に示す各可選択リストオブジェクト８２は、印刷システム１０におけるプログラム可能な特性又は機能を表している。図示の如く、ユーザは、自分の人差し指８４を「Selectable List Object 3」上に持って行き、符号８６によって表されているリストオブジェクトを選ぼうとしているが、まだスクリーンには触れておらずどの可選択リストオブジェクトも選ばれていない。なお、以下の説明ではユーザの指をプローブ或いはポインタとして用いることとするが、ペンその他、好ましいものであれば何れを用いてもかまわない。
【手続補正３】
【補正対象書類名】明細書
【補正対象項目名】００１５
【補正方法】変更
【補正の内容】
【００１５】
次に、図５に示すように、ユーザは、自分の人差し指８４により、符号８６で表されている「Selectable List Object 3」を選択し（以下「Selected List Object 3」と称する）、システムは、表示スクリーン２０上の選択されたリストオブジェクトを減光乃至暗転させて、現在どのリストオブジェクトが選択されているかを表示する。これをどのようにして行うかについて、次により詳細に説明する。
【手続補正４】
【補正対象書類名】明細書
【補正対象項目名】００１６
【補正方法】変更
【補正の内容】
【００１６】
選択された「Selected List Object 3」は、図３に示す１個又はそれ以上の個数の表示セル７０により囲まれている。従って、このリストオブジェクトは、そのリストオブジェクトの境界線によって画定されるエリアをカバーする所定のセル又はセル群により定められる。同様に、スクリーン上の各リストオブジェクト並びにメニューそれ自体は、各境界線内の所定のセルにより識別される。しかしながら、ユーザの人差し指は複数のセルを指し示すこととなろう。そこで、システム１０は、どのリストオブジェクトが選択されたのかを、検出したセル群の中心がどの所定エリアにあるのかによって決める。システム１０は、選択されたものとシステム１０自身が決めたオブジェクトに関し、ユーザにポジティブフィードバックすべく明るく表示する。ユーザは、このポジティブフィードバックによって、自分が正しいリストオブジェクトを選択していることを確認し、或いは自分の人差し指その他のポインタを必要に応じて動かす。
【手続補正５】
【補正対象書類名】明細書
【補正対象項目名】００２０
【補正方法】変更
【補正の内容】
【００２０】
図６においては、ユーザは、人差し指８４を接触状態のまま保ちつつ、「Selected List Object 3」に文脈的に関連したメニューを見るべく、中指８８を置く。但し、図示の例では、中指はまだスクリーンに接触していない。図７に示すように、人差し指８４が接触を保っている状態でユーザがタッチスクリーン２０に中指８８で触れると、それに続いて二次文脈メニュー９０がシステムにより表示され、選択済みのリストオブジェクト８６に関連した二次リストオブジェクトが示される。二次メニュー９０は一次メニュー８０と同様の形式で動作するため、ユーザは二次プローブ乃至中指８８をメニュー９０上の所望のオプションまでスライドさせる。図示の例では、現在、ユーザは符号９２によって表される「Submenu Option 2」を選択している。この時点で、ユーザが「Submenu Option 2」により定義される機能を呼び出したいときは、ユーザはシステムにより「Submenu Option 2」が選択表示されている状態で中指８８を離す。また、ユーザが二次メニュー９０をスクリーンからクリアしたいと決めたときは、ユーザは単に、中指８８をメニュー９０のエリアから外にはずし、中指８８を離せばよい。この時点で、システムに対し、二次メニュー９０をクリアすべきであることが伝わる。なお、人差し指８４が引き続きメニュー乃至タッチスクリーンに触れ続けている限り、一次メニュー８０はスクリーン２０上に表示され続ける。
【手続補正６】
【補正対象書類名】明細書
【補正対象項目名】００２１
【補正方法】変更
【補正の内容】
【００２１】
図７に示したように二次メニュー「Submenu Option 2」を選択している状態で、図８に示すように、一次メニュー８０及び二次メニュー９０を開き人差し指８４及び中指８８を触れさせたまま、二次ポインタたる中指８８を符号９４で示される二次メニュー「Submenu Option 3」までスライドさせると、「Submenu Option 3」が選択された状態に変わる。なお、図８に示した例では、ユーザは右手９６を一次メニュー８０及び二次メニュー９０の選択手段として用いているが、本発明の概念は右手例に限定されるものではない。
【手続補正７】
【補正対象書類名】明細書
【補正対象項目名】００２２
【補正方法】変更
【補正の内容】
【００２２】
図９においては、ユーザは、図８に示したものと同様の機能を、左手９８を用いて実現している。左手の人差し指１００は一次ポインタとして用いられ、同じく左手の中指１０２は二次ポインタとして用いられている。図示の例では、符号９２で表されている二次メニュー「Submenu Option 3」が選択されている。図１０に示した他の例でもユーザは一次メニュー８０及び二次メニュー９０の選択を行っているが、ここでは右手９６の人差し指８４を一次ポインタとして、左手９８の人差し指１００を二次ポインタとして用い、二次メニュー「Submenu Option 3」を選択している。実際、本発明を実施するに当たって、ユーザは片手のみを用いてもよいし両手を用いてもよい。更に、一次選択及び二次選択に際し、タッチスクリーン２０に適した他のどのような物体をポインタとして用いてもかまわない。
【手続補正８】
【補正対象書類名】明細書
【補正対象項目名】００２３
【補正方法】変更
【補正の内容】
【００２３】
図１１は、本発明に係るシステムコントローラにより実行される制御ステップを示すフローチャート１１０である。まず、ステップ１１２においては、システムコントローラは一次プローブが接触したか否かを判別する。図４の状態ではこのステップが繰り返し実行される。一次プローブの接触が感知されると、図５に例示したように、ステップ１１４にて、一次プローブが接触したセルの座標が読み込まれる。一旦一次プローブが接触したセルの座標が読み込まれたならば、ステップ１１６にて、当該セルの座標に対応する所定のオブジェクトが決定される。このようにして選択されたオブジェクトは、好ましくは、図５中に符号８６で示した「Selected List Object 3」のように明るく表示される。システムコントローラは、続いてステップ１１８を実行し、二次プローブの接触を感知しているか否かを判別する。もし、二次プローブの接触を感知していないのであれば、システムコントローラは、ステップ１２０において一次プローブの接触が離れたか否かを判別する。ここで一次プローブの接触が離れていないと判別したのであれば、本質的には現在の状態を保つ。即ち、ユーザが一次プローブの接触位置を変えることができるよう、ステップ１１４に戻って一次プローブが接触しているセルの座標の再読込や対応する一次リストオブジェクトの選択を行う。